(57)【要約】【課題】  水道水の流れを止めることなく浄水器のカートリッジの交換等を行え、然も設置スペースの削減等を図れるようにする。【解決手段】  原水流入口８ａ、浄水器２の流入口４ａに接続される原水流出口８ｃ、原水流入口８ａと原水流出口８ｃを連通する原水通路８ｅ、浄水器２の流出口４ｂに接続される浄水流入口８ｈ、浄水流出口８ｊ、浄水流入口８ｈと浄水流出口８ｊを連通する浄水通路８ｌ、原水通路８ｅと浄水通路８ｌを連通するバイパス通路８ｏを備えたボディ８と、ボディ８に設けられて原水流入口８ａからの原水Ｗを原水流出口８ｃ又はバイパス通路８ｏへ流し得る流入用開閉弁９と、ボディ８に設けられて浄水流入口８ｈからの水Ｗ′を浄水流出口８ｊへ流し得ると共にその流れを堰き止められる流出用開閉弁９′と、ボディ８に設けられて原水流入口８ａからの原水Ｗを浄水通路８ｌへ流し得ると共にその流れを堰き止められるバイパス用開閉弁９″とから成る。【選択図】      図２
2007222818.tif 000002
【特許請求の範囲】
【請求項１】
原水（Ｗ）が流入する原水流入口（８ａ）、浄水器（２）又はカートリッジの流入口（４ａ）に接続される原水流出口（８ｃ）、原水流入口（８ａ）と原水流出口（８ｃ）を連通する原水通路（８ｅ）、浄水器（２）又はカートリッジの流出口（４ｂ）に接続されて浄水（Ｗ′）が流入する浄水流入口（８ｈ）、浄水（Ｗ′）が流出する浄水流出口（８ｊ）、浄水流入口（８ｈ）と浄水流出口（８ｊ）を連通する浄水通路（８ｌ）、原水通路（８ｅ）と浄水通路（８ｌ）を連通するバイパス通路（８ｏ）を夫々備えたボディ（８）と、ボディ（８）に設けられ、原水通路（８ｅ）を開閉して原水流入口（８ａ）から流入した原水（Ｗ）を原水流出口（８ｃ）側へ又はバイパス通路（８ｏ）側へ流し得る流入用開閉弁（９）と、ボディ（８）に設けられ、浄水通路（８ｌ）を開閉して浄水流入口（８ｈ）から流入した浄水（Ｗ′）を浄水流出口（８ｊ）側へ流し得ると共に、浄水通路（８ｌ）内の浄水（Ｗ′）の流れを堰き止められる流出用開閉弁（９′）と、ボディ（８）に設けられ、バイパス通路（８ｏ）を開閉して原水流入口（８ａ）から流入した原水（Ｗ）を浄水流通路（８ｌ）側へ流し得ると共に、バイパス通路（８ｏ）内の原水（Ｗ）の流れを堰き止められるバイパス用開閉弁（９″）とから構成したことを特徴とする浄水器のバイパス切り換えユニット。
【請求項２】
流入用開閉弁（９）、流出用開閉弁（９′）及びバイパス用開閉弁（９″）を設けたボディ（８）が、浄水器（２）のカートリッジを内蔵した容器（３）のベース（４）部分に一体化されていることを特徴とする請求項１に記載の浄水器のバイパス切り換えユニット。
【請求項３】
流入用開閉弁（９）、流出用開閉弁（９′）及びバイパス用開閉弁（９″）を設けたボディ（８）の原水流入口（８ａ）及び浄水流出口（８ｊ）が、導入管（１８）及び導出管（１９）を介して浄水器（２）又はカートリッジの流入口（４ａ）及び流出口（４ｂ）に夫々接続されていることを特徴とする請求項１に記載の浄水器のバイパス切り換えユニット。
【請求項４】
流入用開閉弁（９）、流出用開閉弁（９′）及びバイパス用開閉弁（９″）が、ボール弁であることを特徴とする請求項１、請求項２又は請求項３に記載の浄水器のバイパス切り換えユニット。
【請求項５】
流入用開閉弁（９）、流出用開閉弁（９′）及びバイパス用開閉弁（９″）が、カートリッジ弁であることを特徴とする請求項１、請求項２又は請求項３に記載の浄水器のバイパス切り換えユニット。
【請求項６】
流入用開閉弁（９）、流出用開閉弁（９′）及びバイパス用開閉弁（９″）が、コックであることを特徴とする請求項１、請求項２又は請求項３に記載の浄水器のバイパス切り換えユニット。
【発明の詳細な説明】
【技術分野】
【０００１】
本発明は、主に一般家庭やマンション等の水道管の途中（例えば、水道メーターの下流側に位置する水道管）や台所の蛇口等に取り付けられて飲料用や調理用、洗面用、風呂用等に用いる水道水を浄化処理する家庭用の浄水器に用いられるものであり、特に、水道水をバイパスさせるバイパス機能を有し、浄水器のカートリッジの交換時や浄水器の保守点検時等に水道水の流れを止めることなく、カートリッジの交換や浄水器の保守点検等を行えるようにすると共に、設置スペースの削減等を図れるようにした浄水器のバイパス切り換えユニットに関するものである。
【背景技術】
【０００２】
近年、公共の水道水の水質の悪化が問題となっている。これは、水道水の原水そのものの水質が悪化しており、それに伴って浄水場に於いて、酸化剤や滅菌剤として塩素を多量に注入する必要が生じているからである。
水質自体が悪化したり、水道水に多量の塩素が含まれていると、味が悪くなったり、異臭がしたり、更には人体の健康上の点からも好ましくない。そのため、一般家庭やマンション等の集合住宅に於いては、水道水を浄化処理する浄水器が使用されることが多くなって来ている。この家庭用の浄水器は、水道メーターの下流側に位置する水道管や台所の蛇口等に取り付けられているのが一般的である。
【０００３】
従来、この種の家庭用の浄水器としては、例えば、一般家庭等の水道メーターの下流側に位置する水道管に介設されて給湯器や台所、浴室、洗面所等で使用する全ての水道水をまとめて浄化処理するようにした浄水器が知られている（例えば、特許文献１参照）。
【０００４】
即ち、前記家庭用の浄水器は、図示していないが、水道水の流入口及び浄化された水道水の流出口を形成した開閉可能な密閉状の容器と、容器内に着脱自在に内蔵され、濁度フィルター、繊維状活性炭フィルター及びセラミックスフィルター等から成るカートリッジ（図示省略）とから構成されており、容器の流入口及び流出口が水道メーターの下流側に位置する水道管に夫々連通状に接続されている。
従って、この浄水器によれば、水道メーターを通った水道水が全て浄水器に流入し、ここで浄化処理されてから浄水器の下流側の水道管に接続された複数の分岐管を介して給湯器、台所、洗面所、浴室等へ夫々供給されることになり、家庭内で使用する全ての水道水を浄化処理することができる。
【０００５】
ところで、家庭用の浄水器に於いては、浄水器を長期間使用していると、カートリッジのフィルターに目詰まりが生じて必要とする水量を得ることができない等、様々なトラブルが生じるため、浄水器のカートリッジの交換や浄水器の保守点検等が行われている。
ところが、上述した浄水器は、家庭内で使用する全ての水道水を浄水器内へ通すようにしているため、カートリッジの交換時や浄水器の保守点検時等には浄水器の上流側の水道管に介設した止水弁を閉鎖し、水道水の流れを完全に止めてからカートリッジの交換や浄水器の保守点検等を行わなければならなかった。その結果、この浄水器に於いては、カートリッジの交換時等には給水を停止しなければならず、この間家庭内で水道水を使用することができないうえ、水道水の流れを止めるための厄介な作業を必要とすると云う問題があった。
【０００６】
そこで、本件発明者等は、上述した問題を解決するため、バイパス機能を有する新しい浄水器を開発し、これを特開２００４−３３００５７号公報（特許文献２）として公開されている。
即ち、前記浄水器は、図１４に示す如く、水道水Ｗを浄化する浄水器本体２０と、浄水器本体２０の水道水Ｗの入口２０ａにユニオンナット２１を介して接続された流入側ガイド管２２と、浄水器本体２０の水道水Ｗの出口２０ｂにユニオンナット２１を介して接続された流出側ガイド管２３と、流入側ガイド管２２及び流出側ガイド管２３の端部に夫々接続された左右の三方弁２４，２４と、左右の三方弁２４，２４同士を連通状に接続するバイパス管２５とから構成されており、流入側ガイド管２２に接続された三方弁２４に上流側の水道管が、又、下流側ガイド管２３に接続された三方弁２４に下流側の水道管が夫々接続されている。
【０００７】
而して、前記浄水器を用いて水道水Ｗを浄化するには、上流側の水道管からの水道水Ｗが浄水器本体２０内を通過するように左右の三方弁２４，２４を切り換え操作する。そうすると、上流側の水道管からの水道水Ｗは、流入側ガイド管２２を経て浄水器本体２０内に流入し、浄水器本体２０内のカートリッジフィルターにより浄化された後、流出側ガイド管２３、三方弁２４及び下流側の水道管を通って室内へ送られ、飲料用や調理用等に使用される。
又、カートリッジの交換時等には、上流側の水道管からの水道水Ｗがバイパス管２５を経て下流側の水道管へ流れるように左右の三方弁２４，２４を切り換え操作し、この状態で浄水器本体２０内のカートリッジの交換等を行う。このとき、水道水Ｗの流れをバイパス管２５側へ切り換えているため、水道水Ｗの流れを止めることなく、カートリッジの交換等を行うことができる。
【０００８】
しかし、上述したバイパス機能を有する浄水器に於いては、バイパス機能を構成する流入側ガイド管２２、流出側ガイド管２３、左右の三方弁２４，２４及びバイパス管２５が、浄水器本体２０の周囲に夫々単独で配置された格好になっているため、浄水器を設置する際に広い設置スペースを必要とすると云う問題があった。特に、個人住宅に設置する際には、狭い設置スペースしかない場合があり、浄水器を設置することができないこともあった。
又、この浄水器のバイパス機能は、浄水器本体２０に流入側ガイド管２２及び流出側ガイド管２３を接続すると共に、流入側ガイド管２２及び流出側ガイド管２３に左右の三方弁２４，２４を夫々接続し、両三方弁２４，２４同士をバイパス管２５で連通状に接続することにより構成されているため、バイパス機能を浄水器へ取り付ける際に極めて手数が掛かると云う問題もあった。
【特許文献１】特開２００２−５９１５３号公報
【特許文献２】特開２００４−３３００５７号公報
【発明の開示】
【発明が解決しようとする課題】
【０００９】
本発明は、このような問題点に鑑みて為されたものであり、その目的はカートリッジの交換時や浄水器の保守点検時等に水道水の流れを止めることなく、カートリッジの交換や浄水器の保守点検等を行えるようにすると共に、設置スペースの削減を図れ、然も、浄水器への取り付けや浄水器からの取り外しを簡単且つ容易に行えるようにした浄水器のバイパス切り換えユニットを提供することにある。
【課題を解決するための手段】
【００１０】
上記目的を達成する為に、本発明の請求項１の発明は、原水が流入する原水流入口、浄水器又はカートリッジの流入口に接続される原水流出口、原水流入口と原水流出口を連通する原水通路、浄水器又はカートリッジの流出口に接続されて浄水が流入する浄水流入口、浄水が流出する浄水流出口、浄水流入口と浄水流出口を連通する浄水通路、原水通路と浄水通路を連通するバイパス通路を夫々備えたボディと、ボディに設けられ、原水通路を開閉して原水流入口から流入した原水を原水流出口側へ又はバイパス通路側へ流し得る流入用開閉弁と、ボディに設けられ、浄水通路を開閉して浄水流入口から流入した浄水を浄水流出口側へ流し得ると共に、浄水通路内の浄水の流れを堰き止められる流出用開閉弁と、ボディに設けられ、バイパス通路を開閉して原水流入口から流入した原水を浄水通路側へ流し得ると共に、バイパス通路内の原水の流れを堰き止められるバイパス用開閉弁とから構成したことに特徴がある。
【００１１】
本発明の請求項２の発明は、請求項１の発明に於いて、流入用開閉弁、流出用開閉弁及びバイパス用開閉弁を設けたボディが、浄水器のカートリッジを内蔵した容器のベース部分に一体化されていることに特徴がある。
【００１２】
本発明の請求項３の発明は、請求項１の発明に於いて、流入用開閉弁、流出用開閉弁及びバイパス用開閉弁を設けたボディの原水流入口及び浄水流出口が、導入管及び導出管を介して浄水器又はカートリッジの流入口及び流出口に夫々接続されていることに特徴がある。
【００１３】
本発明の請求項４の発明は、請求項１、請求項２又は請求項３の発明に於いて、流入用開閉弁、流出用開閉弁及びバイパス用開閉弁が、ボール弁であることに特徴がある。
【００１４】
本発明の請求項５の発明は、請求項１、請求項２又は請求項３の発明に於いて、流入用開閉弁、流出用開閉弁及びバイパス用開閉弁が、カートリッジ弁であることに特徴がある。
【００１５】
本発明の請求項６の発明は、請求項１、請求項２又は請求項３の発明に於いて、流入用開閉弁、流出用開閉弁及びバイパス用開閉弁が、コックであることに特徴がある。
【発明の効果】
【００１６】
本発明のバイパス切り換えユニットは、原水流入口、原水流出口、原水通路、浄水流入口、浄水流出口、浄水通路及びバイパス通路を備えたボディと、原水通路を開閉する流入用開閉弁と、浄水通路を開閉する流出用開閉弁と、バイパス通路を開閉するバイパス用開閉弁とから成り、各開閉弁を開閉操作することによって、原水の流れを浄水器側へ又はバイパス通路側へ切り換えられる構成としているため、カートリッジの交換や浄水器の保守点検等を行う際には、各開閉弁を開閉操作して水道水の流れをバイパス管側へ切り換えることによって、水道水の流れを止めることなく、カートリッジの交換や浄水器の保守点検等を行うことができる。その結果、本発明のバイパス切り換えユニットを浄水器に用いれば、カートリッジの交換時や浄水器の保守点検時等でも給水を停止する必要がなく、家庭内で常時水道水を使用することができる。
又、本発明のバイパス切り換えユニットは、同一のボディに流入用開閉弁、流出用開閉弁及びバイパス用開閉弁を夫々設けているため、ボディと三つの開閉弁がユニット化された構造を呈し、従来のようにガイド管、バイパス管、三方弁を組み合せたものに比較して大幅な小型を図れ、設置スペースが少なくて済む。その結果、本発明のバイパス切り換えユニットを用いた浄水器は、マンション等の狭い設置スペースであっても、設置が可能となる。然も、本発明のバイパス切り換えユニットは、ボディと三つの開閉弁がユニット化されているため、浄水器への取り付け時には接続個所が少なくて済み、浄水器への取り付けを簡単且つ容易に行える。
更に、本発明のバイパス切り換えユニットは、流入用開閉弁、流出用開閉弁及びバイパス用開閉弁を設けたボディを、浄水器のカートリッジを内蔵した容器のベース部分に一体化した場合には、浄水器の設置スペースがより少なくて済み、極めて狭い設置スペースであっても、浄水器の設置が可能となる。
そのうえ、本発明のバイパス切り換えユニットは、流入用開閉弁、流出用開閉弁及びバイパス用開閉弁をボール弁、カートリッジ弁又はコックとし、これらをボディに取り付けるようにしているため、既存の開閉弁を使用することができ、コストの低減等を図れる。
【発明を実施するための最良の形態】
【００１７】
以下、本発明の実施の形態を図面に基づいて詳細に説明する。
図１乃至図７は本発明の第１の実施形態に係る浄水器のバイパス切り換えユニット１を示し、当該バイパス切り換えユニット１は、一般家庭やマンション等の水道メーターの下流側に位置する水道管や台所の蛇口等に取り付けられて飲料用や調理用、洗面用、風呂用等に用いる水道水Ｗ（原水）を浄化処理する家庭用の浄水器２に用いられるものであり、浄水器２のカートリッジの交換時や浄水器２の保守点検時等に水道水Ｗの流れを止めることなく、カートリッジの交換や浄水器２の保守点検等を行えるようにしたものである。
【００１８】
尚、家庭用の浄水器２は、図１に示す如く、水道水Ｗの流入口４ａ及び浄化された水道水Ｗ′の流出口４ｂを形成した縦長の開閉可能な密閉状の容器３と、容器３内に着脱自在に内蔵され、濁度フィルター、繊維状活性炭フィルター及びセラミックフィルター等を備えたカートリッジ（図示省略）とから成り、従来公知のものと同様構造に構成されている。
又、容器３は、流入口４ａ及び流出口４ｂを形成したベース４と、ベース４の上面側に取り付けた筒状のケーシング５と、ケーシング５の上端部に取り付けたヘッドキャップ６と、ベース４とケーシング５を締め付け固定する半割り状のクランプ７とから構成されており、クランプ７を弛めてケーシング５をベース４から取り外すことによって、内部に内蔵したカートリッジを交換できるようになっている。
【００１９】
前記バイパス切り換えユニット１は、図１に示す如く、原水流入口８ａ、原水流出口８ｃ、原水通路８ｅ、浄水流入口８ｈ、浄水流出口８ｊ、浄水通路８ｌ及びバイパス通路８ｏを備えたボディ８と、ボディ８に装着されて原水通路８ｅを開閉する流入用開閉弁９と、ボディ８に装着されて浄水通路８ｌを開閉する流出用開閉弁９′と、ボディ８に装着されてバイパス通路８ｏを開閉するバイパス用開閉弁９″とから構成されており、各開閉弁９，９′，９″を夫々開閉操作することによって、水道水Ｗの浄化時には上流側の水道管１０（給水配管）からの水道水Ｗが浄水器２内を通過するように流れ、又、カートリッジの交換時や浄水器２の保守点検時等には上流側の水道管１０からの水道水Ｗが浄水器２内を通過せずにバイパス通路８ｏを通って直接下流側の水道管１１（室内配管）側へ流れるように構成されている。
【００２０】
具体的には、前記ボディ８は、図２乃至図７に示す如く、金属材により一体的に形成されており、上流側の水道管１０（給水配管）に接続されて原水である水道水Ｗが流入する原水流入口８ａを形成する筒状の原水流入用接続部８ｂと、浄水器２の流入口４ａに接続される原水流出口８ｃを形成する筒状の原水流出用接続部８ｄと、原水流入口８ａと原水流出口８ｃとを連通する略Ｌ字形状の原水通路８ｅと、原水通路８ｅの途中に原水流出口８ｃに対向する状態で形成されて水道水Ｗが通過する原水通過口８ｆを有する原水通路用隔壁８ｇと、浄水器２の流出口４ｂに接続されて浄化された水道水Ｗ′（浄水）が流入する浄水流入口８ｈを形成する筒状の浄水流入用接続部８ｉと、下流側の水道管１１（室内配管）に接続されて浄化された水道水Ｗ′が流出する浄水流出口８ｊを形成する筒状の浄水流出用接続部８ｋと、浄水流入口８ｈと浄水流出口８ｊとを連通する略Ｌ字形状の浄水通路８ｌと、浄水通路８ｌの途中に浄水流入口８ｈに対向する状態で形成されて浄化された水道水Ｗ′が通過する浄水通過口８ｍを有する浄水通路用隔壁８ｎと、原水通路用隔壁８ｇよりも上流側の原水通路８ｅと浄水通路用隔壁８ｎよりも下流側の浄水通路８ｌとを連通するバイパス通路８ｏと、バイパス通路８ｏの途中に原水通路用隔壁８ｇ及び浄水通路用隔壁８ｎと略同じ向きに形成されて原水である水道水Ｗが通過するバイパス用通過口８ｐを有するバイパス通路用隔壁８ｇとを備えている。
又、ボディ８の原水通路用隔壁８ｇに対向する部分には、流入用開閉弁９が装着される装着穴８ｒが、ボディ８の浄水通路用隔壁８ｎに対向する部分には、流出用開閉弁９′が装着される装着穴８ｓが、ボディ８のバイパス通路用隔壁８ｇに対向する部分には、バイパス用開閉弁９″が装着される装着穴８ｔが夫々形成されている。これら各装着穴８ｒ，８ｓ，８ｔの内周面には、各開閉弁９，９′，９″を各装着穴８ｒ，８ｓ，８ｔへ夫々着脱自在に装着できるように雌ネジが夫々形成されている。
更に、ボディ８の中央部分には、バイパス通路８ｏ内に連通するドレン口８ｕが形成されている。このドレン口８ｕには、図示していないが、ドレンプラグやドレン弁、ドレンコック等が装着されている。
【００２１】
尚、原水流入口８ａ、原水流出口８ｃ、原水通路８ｅ、原水通路用隔壁８ｇ及び流入用開閉弁９の装着穴８ｒは、ボディ８の一端部（図２及び図４の左端）に夫々形成され、又、浄水流入口８ｈ、浄水流出口８ｊ、浄水通路８ｌ、浄水通路用隔壁８ｎ及び流出用開閉弁９′の装着穴８ｓは、ボディ８の他端部（図２及び図４の右端）に夫々形成され、更に、バイパス通路８ｏ、バイパス通路用隔壁８ｇ及びバイパス用開閉弁９″の装着穴８ｔは、ボディ８の中間部に夫々形成されている。
そして、原水流入口８ａ及び浄水流出口８ｊは、同じ方向を向いて配置されていると共に、原水流出口８ｃ及び浄水流入口８ｈは、原水流入口８ａ及び浄水流出口８ｊに対して９０度向きを変えた状態で且つ同じ方向を向いて配置されている。更に、各開閉弁９，９′，９″の装着穴８ｒ，８ｓ，８ｔは、原水流出口８ｃ及び浄水流入口８ｈに対して１８０度向きを変えた状態で且つ同じ方向を向いて配置されている。
【００２２】
前記流入用開閉弁９は、ボディ８に形成した流入用開閉弁９の装着穴８ｒに着脱自在に装着されており、開放操作して原水通路８ｅを開放することによって、原水流入口８ａから流入した水道水Ｗを原水通路８ｅを通して原水流出口８ｃ側へ流し、又、閉止操作して原水通路８ｅを閉鎖することによって、原水流入口８ａから流入した水道水Ｗをバイパス通路８ｏ側へ流すように構成されている。この実施形態に於いては、流入用開閉弁９には、一部分にセラミックス部材を用いた手動式のカートリッジ弁が使用されている。
【００２３】
即ち、前記流入用開閉弁９（カートリッジ弁）は、図４及び図６に示す如く、ボディ８の装着穴８ｒに気密状に螺着され、周壁の一部に開口１２ａを形成した筒状のプラグ本体１２と、プラグ本体１２の先端部に嵌合され、原水通路用隔壁８ｇの原水通過口８ｆの周辺部分にＯリング１３を介して気密状に当接する環状の底板１４と、底板１４にＯリング１３を介して気密状に支持され、弁孔１５ａを形成したセラミックス製の円盤状の弁座体１５と、弁座体１５に気密状態で且つ摺動回転自在に当接し、回転により弁座体１５の弁孔１５ａを開閉するセラミックス製の弁体１６と、プラグ本体１２に回転自在に支持され、弁体１６を回転操作する弁棒１７等から構成されており、弁棒１７を回転操作して弁体１６を回転させ、弁体１６に形成した切欠１６ａと弁座体１５の弁孔１５ａを合致させると、弁座体１５の弁孔１５ａが開放されて流入用開閉弁９が開放状態となって原水通路８ｅを開放し、又、弁座体１５の弁孔１５ａが開放された状態で弁棒１７を回転操作して弁体１６を９０度回転させると、弁体１６の切欠１６ａと弁座体１５の弁孔１５ａが齟齬状態となり、弁体１６により弁座体１５の弁孔１５ａが閉塞されて流入用開閉弁９が閉止状態となって原水通路８ｅを閉鎖するようになっている。
而して、この流入用開閉弁９によれば、図６に示すように流入用開閉弁９を開放状態にすると、原水流入口８ａから原水通路８ｅ内に流入した水道水Ｗがプラグ本体１２の開口１２ａからプラグ本体１２内に流入し、弁体１６の切欠１６ａ、弁座体１５の弁孔１５ａ、原水通路用隔壁８ｇの原水通過口８ｆ及び原水通路８ｅを経て原水流出口８ｃ側へ流れて行き、又、流入用開閉弁９を閉止状態にすると、原水通路８ｅの途中が閉鎖された状態となり、原水流入口８ａから原水通路８ｅ内に流入した水道水Ｗがバイパス通路８ｏ側へ流れて行くことになる。
【００２４】
前記流出用開閉弁９′は、ボディ８に形成した流出用開閉弁９′の装着穴８ｓに着脱自在に装着されており、開放操作して浄水通路８ｌを開放することによって、浄水流入口８ｈから流入した浄化された水道水Ｗ′を浄水通路８ｌを通して浄水流出口８ｊ側へ流し、又、閉止操作して浄水通路８ｌを閉鎖することによって、浄水通路８ｌ内の浄化された水道水Ｗ′の流れを堰き止められるように構成されている。この実施の形態に於いては、流入用開閉弁９には、一部分にセラミックス部材を用いた手動式のカートリッジ弁が使用されている。
この流出用開閉弁９′は、流入用開閉弁９と全く同じ形状及び同じ構造に構成されており、流入用開閉弁９と同じ部位・部材には同一の参照番号を付してその詳細な説明を省略する。
この流出用開閉弁９′によれば、図７に示すように流出用開閉弁９′を開放状態にすると、浄水流入口８ｈから浄水通路８ｌ内に流入した浄化された水道水Ｗ′が浄水通路用隔壁８ｎの浄水通過口８ｍ、弁座体１５の弁孔１５ａ、弁体１６の切欠１６ａ、プラグ本体１２の開口１２ａ及び浄水通路８ｌを経て浄水流出口８ｊ側へ流れて行き、又、流入用開閉弁９を閉止状態にすると、浄水通路８ｌが閉鎖された状態となり、浄水流入口８ｈから浄水通路８ｌ内に流入した水道水Ｗ′の流れが堰き止められるようになっている。
【００２５】
前記バイパス用開閉弁９″は、ボディ８に形成したバイパス用開閉弁９″の装着穴８ｔに着脱自在に装着されており、開放操作してバイパス通路８ｏを開放することによって、原水通路８ｅからバイパス通路８ｏ内へ流入して来た水道水Ｗをバイパス通路８ｏから浄水通路８ｌ側へ流し、又、閉止操作してバイパス通路８ｏを閉鎖することによって、バイパス通路８ｏ内の水道水Ｗの流れを堰き止められるように構成されている。この実施の形態に於いては、バイパス用開閉弁９″には、一部分にセラミックス部材を用いた手動式のカートリッジ弁が使用されている。
このバイパス用開閉弁９″は、流入用開閉弁９と全く同じ形状及び同じ構造に構成されており、流入用開閉弁９と同じ部位・部材には同一の参照番号を付してその詳細な説明を省略する。
このバイパス用開閉弁９″によれば、図４に示すようにバイパス用開閉弁９″を開放状態にすると、原水通路８ｅからバイパス通路８ｏ内へ流入した水道水Ｗがプラグ本体１２の開口１２ａからプラグ本体１２内に流入し、弁体１６の切欠１６ａ、弁座体１５の弁孔１５ａ、バイパス通路用隔壁８ｇの原水通過口８ｆ及びバイパス通路８ｏを経て浄水通路８ｌ側へ流れて行き、又、バイパス用開閉弁９″を閉止状態にすると、バイパス通路８ｏが閉鎖された状態となり、原水通路８ｅからバイパス通路８ｏ内に流入した水道水Ｗの流れが堰き止められるようになっている。
【００２６】
次に、上述したバイパス切り換えユニット１を家庭用の浄水器２に用いる場合について説明する。
バイパス切り換えユニット１は、図１に示す如く、浄水器２のベース４付近に配置されており、その原水流出口８ｃが浄水器２の流入口４ａに、又、その浄水流入口８ｈが浄水器２の流出口４ｂに直接又は配管を介して夫々接続されている。更に、バイパス切り換えユニット１の原水流入口８ａには、上流側の水道管１０（給水配管）がユニオンナット等を介して接続されていると共に、バイパス切り換えユニット１の浄水流出口８ｊには、下流側の水道管１１（室内配管）がユニオンナット等を介して接続されている。
【００２７】
而して、バイパス切り換えユニット１を用いて原水である水道水Ｗを浄水器２側へ流して浄化するには、流入用開閉弁９及び流出用開閉弁９′を開放操作すると共に、バイパス用開閉弁９″を閉止操作する。そうすると、上流側の水道管１０からの水道水Ｗは、バイパス切り換えユニット１の原水流入口８ａ、原水通路８ｅ、流入用開閉弁９、原水通路用隔壁８ｇの原水通過口８ｆ、原水通路８ｅ及び原水流出口８ｃを経て流入口４ａから浄水器２内に流入し、浄水器２内でカートリッジのフィルターにより塩素等の有害物質が除去されて浄化処理される。
【００２８】
浄水器２内で浄化された水道水Ｗ′は、浄水器２の流出口４ｂからバイパス切り換えユニット１の浄水流入口８ｈに流入し、浄水通路８ｌ、浄水通路用隔壁８ｎの浄水通過口８ｍ、流出用開閉弁９′、浄水通路８ｌ、浄水流出口８ｊ及び下流側の水道管１１を通って室内へ送られ、飲料用や調理用、洗面用等に使用される。
【００２９】
そして、長期間使用した浄水器２のカートリッジを交換する場合や浄水器２を保守点検をする場合には、流入用開閉弁９及び流出用開閉弁９′を閉止操作すると共に、バイパス用開閉弁９″を開放操作する。そうすると、上流側の水道管１０からの水道水Ｗは、バイパス切り換えユニット１の原水流入口８ａ、原水通路８ｅ、バイパス通路８ｏ、バイパス用開閉弁９″、バイパス通路用隔壁８ｇの原水通過口８ｆ、バイパス通路８ｏ、浄水通路８ｌ、浄水流出口８ｊ及び下流側の水道管１１を通って室内へ送られる。即ち、上流側の水道管１０からの水道水Ｗは、浄水器２を通過せずにバイパス切り換えユニット１を通って室内側へ送られる。従って、その間に浄水器２の容器３を開放してカートリッジの交換や浄水器２の保守点検を行える。
【００３０】
バイパス切り換えユニット１を用いた浄水器２は、バイパス切り換えユニット１自体がユニット化されてコンパクトになっているため、設置スペースも小さくて済み、マンション等の狭い設置スペースであっても、設置が可能となる。然も、浄水器２を設置する際に新たにバイパス管路を形成する必要もなく、又、浄水器２へ取り付けたり、或いは浄水器２から取り外したりする際には接続個所が少ないので浄水器２への取り付けや浄水器２からの取り外しを簡単且つ容易に行える。更に、バイパス切り換えユニット１を用いた浄水器２は、水道水Ｗの流れをバイパス切り換えユニット１側へ切り換えられるため、水道水Ｗの流れを止めることなく、カートリッジの交換や浄水器２の保守点検等を行うことができる。
【００３１】
図８乃至図１１は本発明の第２の実施形態に係るバイパス切り換えユニット１を示し、当該バイパス切り換えユニット１は、流入用開閉弁９、流出用開閉弁９′及びバイパス用開閉弁９″を設けたボディ８を、カートリッジを内蔵した浄水器２の容器３のベース４部分と一体化したものであり、バイパス切り換えユニット１の原水流入口８ａが浄水器２の流入口４ａになっていると共に、バイパス切り換えユニット１の浄水流出口８ｊが浄水器２の流出口４ｂになっている。又、バイパス切り換えユニット１の原水流出口８ｃがカートリッジの流入口に接続されていると共に、バイパス切り換えユニット１の浄水流入口８ｈがカートリッジの流出口に接続されている。
このバイパス切り換えユニット１は、ボディ８の形状及び各開閉弁９，９′，９″の取り付け位置を変えたこと以外は、図１に示すバイパス切り換えユニット１と同様構造に構成されており、図１に示すバイパス切り換えユニット１と同じ部位・部材には同一の参照番号を付し、その詳細な説明を省略する。
このバイパス切り換えユニット１を用いた浄水器２は、図１に示すバイパス切り換えユニット１を用いた浄水器２と同様の作用効果を奏することができる。然も、このバイパス切り換えユニット１は、ボディ８を浄水器２の本体のベース４部分に一体化しているため、浄水器２がよりコンパクト化されて浄水器２の設置スペースがより少なくて済み、極めて狭い設置スペースであっても、浄水器２の設置が可能となる。
【００３２】
図１２乃至図１３は本発明の第３の実施形態に係るバイパス切り換えユニット１を示し、当該バイパス切り換えユニット１は、ボディ８の原水流入口８ａにエルボ形状の導入管１８を接続すると共に、ボディ８の浄水流出口８ｊにエルボ形状の導出管１９を接続し、導入管１８及び導出管１９を介して浄水器２の流入口４ａ及び流出口４ｂに夫々接続するようにしたものである。
このバイパス切り換えユニット１は、ボディ８に導入管１８及び導出管１９を接続したこと以外は、図１に示すバイパス切り換えユニット１と同様構造に構成されており、図１に示すバイパス切り換えユニット１と同じ部位・部材には同一の参照番号を付し、その詳細な説明を省略する。
このバイパス切り換えユニット１を用いた浄水器２も、図１に示すバイパス切り換えユニット１を用いた浄水器２と同様の作用効果を奏することができる。
【００３３】
尚、上記の各実施形態に於いては、流入用開閉弁９、流出用開閉弁９′及びバイパス用開閉弁９″に夫々手動式のカートリッジ弁を使用するようにしたが、他の実施形態に於いては、流入用開閉弁９、流出用開閉弁９′及びバイパス用開閉弁９″に夫々手動式のボール弁又は手動式のコックを夫々使用するようにしても良い。又、流入用開閉弁９、流出用開閉弁９′及びバイパス用開閉弁９″に夫々電磁弁を使用するようにしても良い。
【産業上の利用可能性】
【００３４】
本発明は、一般家庭や集合住宅の給水装置のみならず工場等の一般産業設備の給水装置にも適用することができる。
【図面の簡単な説明】
【００３５】
【図１】本発明の第１の実施形態に係るバイパス切り換えユニットの概略説明図である。
【図２】バイパス切り換えユニットの正面図である。
【図３】バイパス切り換えユニットの平面図である。
【図４】バイパス切り換えユニットの縦断正面図である。
【図５】バイパス切り換えユニットの横断平面図である。
【図６】図２のＡ−Ａ線断面図である。
【図７】図２のＢ−Ｂ線断面図である。
【図８】本発明の第２の実施形態に係るバイパス切り換えユニットを用いた浄水器の正面図である。
【図９】同じく浄水器の側面図である。
【図１０】同じく浄水器の平面図である。
【図１１】図８に示す浄水器の要部を示し、バイパス切り換えユニットのボディの各隔壁等を省略した展開断面図である。
【図１２】本発明の第３の実施形態に係るバイパス切り換えユニットの正面図である。
【図１３】図１２のＣ−Ｃ線断面図である。
【図１４】従来のバイパス機能を有する浄水器の概略正面図である。
【符号の説明】
【００３６】
１はバイパス切り換えユニット、２は浄水器、３は浄水器の容器、４は浄水器のベース、４ａは浄水器の流入口、４ｂは浄水器の流出口、８はボディ、８ａは原水流入口、８ｃは原水流出口、８ｅは原水通路、８ｈは浄水流入口、８ｊは浄水流出口、８ｌは浄水通路、８ｏはバイパス通路、９は流入用開閉弁、９′は流出用開閉弁、９″はバイパス用開閉弁、１８は導入管、１９は導出管、Ｗは原水である水道水、Ｗ′は浄化された水道水。
【図１】
2007222818.tif 000003
【図２】
2007222818.tif 000004
【図３】
2007222818.tif 000005
【図４】
2007222818.tif 000006
【図５】
2007222818.tif 000007
【図６】
2007222818.tif 000008
【図７】
2007222818.tif 000009
【図８】
2007222818.tif 000010
【図９】
2007222818.tif 000011
【図１０】
2007222818.tif 000012
【図１１】
2007222818.tif 000013
【図１２】
2007222818.tif 000014
【図１３】
2007222818.tif 000015
【図１４】
2007222818.tif 000016